(57)【要約】  【課題】種々の収納家具，キャビネット又は部屋の間仕切りにおける引戸を戸閉側端部側に減速させつつ強制的に引き寄せる戸閉具であって、その戸閉の勢いが強すぎるときに、引戸の動作を一旦停止（急停止）させてから再度減速状態で戸閉動作を再開することができる戸閉具を提供すること。  【解決手段】フック１がケーシング９後方位置に減速されつつ移動するように付勢されると共に、該フック1は前記ケーシングの前方位置で係止可能とした戸閉具において、揺動自由端が上方移動するレバー部材６の下方に、略水平状のガイド部７が配置されること。前記ケーシング９の急加速時には、前記ガイド部７に沿って相対移動する転動体８によって、前記レバー部材６は移動行程の略中間位置にあるフック１と当接すること。  【選択図】図１
2008303652.tif 000002
【特許請求の範囲】
【請求項１】
フックがケーシング後方位置に減速されつつ移動するように付勢されると共に、該フックは前記ケーシングの前方位置で係止可能とした戸閉具において、揺動自由端が上方移動するレバー部材の下方に、略水平状のガイド部が配置され、前記ケーシングの急加速時には、前記ガイド部に沿って相対移動する転動体によって、前記レバー部材は移動行程の略中間位置にあるフックと当接してなることを特徴とする戸閉具。
【請求項２】
フックをケーシング後方位置に移動させる弾性部材と、該弾性部材の弾性力を減少させる緩衝部材とからなり、前記フックは、前記ケーシングの前方位置で係止可能とした戸閉具において、当接部を有すると共に該当接部が上下方向に移動するように揺動動作するレバー部材と、該レバー部材の下方に位置する略水平状のガイド部と、該傾斜ガイド部上に沿って相対移動する転動体とからなり、前記ケーシングの急加速時には、前記ガイド部に沿って相対移動する転動体によって、移動行程の略中間位置にあるフックと当接してなることを特徴とする戸閉具。
【請求項３】
請求項１又は２において、前記ガイド部は、前記レバー部材の揺動自由端側に向かうに従い上方に傾斜してなることを特徴とする戸閉具。
【請求項４】
請求項１，２又は３のいずれか１項の記載において、前記フックは、フック部材と、該フック部材が揺動自在に装着される摺動部とからなり、該摺動部がケーシング内にて前記レバー部材の当接部に当接可能としてなることを特徴とする戸閉具。
【請求項５】
請求項１乃至４のいずれか１項の記載において、前記レバー部材には、前記当接部には弾性体が装着されてなることを特徴とする戸閉具。
【請求項６】
請求項１乃至５のいずれか１項の記載において、前記傾斜ガイド部は傾斜角度を可変としてなることを特徴とする戸閉具。
【請求項７】
請求項１乃至６のいずれか１項の記載において、前記転動体は球体としてなることを特徴とする戸閉具。
【請求項８】
請求項１乃至７のいずれか１項の記載において、前記ケーシングの内部後方側には前記フック部材が水平面上を揺動且つ傾斜可能となると共に、傾斜されたフック部材を復帰させる復帰弾性部材が具備されてなることを特徴とする戸閉具。
【発明の詳細な説明】
【技術分野】
【０００１】
本発明は、食器棚，本棚，陳列棚等の種々の収納家具，キャビネット又は部屋の間仕切りにおける引戸を戸閉側端部側に減速させつつ強制的に引き寄せる戸閉具であって、その戸閉の勢いが強すぎるときには、引戸の動作を一旦停止（急停止）させてから再度減速状態で戸閉動作を再開することができる戸閉具に関する。
【背景技術】
【０００２】
従来、特許文献１等に見られるような引戸装置が存在している。そして食器棚，本棚，陳列棚等の種々の収納家具には、ガラス窓を備えた引戸が装着されることが多い。この引戸は、小さい間口の収納家具であれば間口箇所の上下にガイドレールが形成され、ガラス板の上下端部がそのガイドレールに挿入された極めて簡単な構造のものでよい。しかし、高級な家具や高級なキャビネットでは、引戸の開き及び閉めの動作にも重厚且つ上品であることが要求される。特に、大型の家具又は部屋の仕切りとして使用される引戸は、特に大型となり、それゆえに、引戸自体の重量も極めて大きくなる。また、扉レール（ガイドレール）及び戸車（ガイドローラ，ハンガーローラ等）の性能が向上し、引戸自体の移動は極めて円滑に行われるようになっている。
【特許文献１】特開２００２−１３８７３９
【発明の開示】
【発明が解決しようとする課題】
【０００３】
このような大型（或いは小型）の引戸は、戸車，扉レール等の性能が向上することによって、その引戸の移動は、極めて滑らかであり、引戸が一旦，移動し始めると慣性により、引戸は移動を継続しようとする。さらに、引戸の初動の勢いが強ければ、キャビネットの枠や、間仕切り枠に対して大きな衝撃を有して衝突状態で当接するおそれがある。そこで、引戸が戸閉動作の最終段階に達したときに、引戸の移動速度を減速させつつ、滑らかに戸閉が完了するようにしたドアクローザが引戸や枠に装着されることが多い。
【０００４】
ところが、人が滑りの良い引戸であることを認識することなく、引戸が滑らかに動くにもかかわらず、その引戸は重量が有りそうだと勝手に思い込んで（判断して）しまい、その引戸に余計に力をこめて開けることがある。そうなると、引戸は予想以上に勢いを付けて移動することになり、戸閉動作では、引戸の勢いが強すぎて、前記ドアクローザの減速手段がその引戸の勢いに負けてしまい、引戸の移動速度を安全な状態まで十分に減速させることができず、或いは減速能力の効き目を発揮することができず、引戸が戸閉終端部の枠等に衝突又は激突してしまうことになる。
【０００５】
このときに、もしも人が戸閉の終端枠に手，足などおいておくと、指を枠と引戸との間に挟んでしまうことがあり、引戸に勢いがあるため前述した引戸のドアクローザが装着されていても、その引戸の勢いが止められず、よって引戸の移動速度が落ちることなく、人の手足に大怪我をするおそれが十分にある。さらに、引戸と家具又は間仕切り枠等に衝撃がかかることになり、早期に破損してしまうことも十分にあり得る。そこで、本発明が解決しようとする課題（技術的課題又は目的等）は、人が引戸の戸閉における初動で強い勢い（引戸に急激に急加速がかかる状態）で戸閉動作を行った場合、引戸の緩衝装置が該引戸を十分に安全な速度まで減速させることができず、そのために、引戸が終端部に勢いを持って衝突し、最悪の場合に人の手の指等を挟んで怪我をさせることを防止することにある。
【課題を解決するための手段】
【０００６】
そこで、発明者は、上記課題を解決すべく、鋭意，研究を重ねた結果、請求項１の発明を、フックがケーシング後方位置に減速されつつ移動するように付勢されると共に、該フックは前記ケーシングの前方位置で係止可能とした戸閉具において、揺動自由端が上方移動するレバー部材の下方に略水平状のガイド部が配置され、前記ケーシングの急加速時には、前記ガイド部に沿って相対移動する転動体によって、前記レバー部材は移動行程の略中間位置にあるフックと当接してなる戸閉具としたことにより、上記課題を解決した。
【０００７】
請求項２の発明を、フックをケーシング後方位置に移動させる弾性部材と、該弾性部材の弾性力を減少させる緩衝部材とからなり、前記フックは、前記ケーシングの前方位置で係止可能とした戸閉具において、当接部を有すると共に該当接部が上下方向に移動するように揺動動作するレバー部材と、該レバー部材の下方に位置する略水平状のガイド部と、該傾斜ガイド部上に沿って相対移動する転動体とからなり、前記ケーシングの急加速時には、前記ガイド部に沿って相対移動する転動体によって、移動行程の略中間位置にあるフックと当接してなる戸閉具としたことにより、上記課題を解決した。請求項３の発明を、前述の構成において、前記ガイド部は、前記レバー部材の揺動自由端側に向かうに従い上方に傾斜してなる戸閉具としたことにより、上記課題を解決した。
【０００８】
次に、請求項４の発明を、前述の構成において、前記フックは、フック部と、該フック部が揺動自在に装着される摺動部とからなり、該摺動部がケーシング内にて前記レバー部材の当接部に当接可能としてなる戸閉具としたことにより、上記課題を解決した。請求項５の発明を、前述の構成において、前記レバー部材には、前記フックと当接する箇所に弾性受け部が具備されてなる戸閉具としたことにより、上記課題を解決した。請求項６の発明を、前述の構成において、前記傾斜ガイド部は傾斜角度を可変としてなる戸閉具としたことにより、上記課題を解決した。請求項７の発明を、前述の構成において、前記転動体は球体としてなることを特徴とする戸閉具としたことにより、上記課題を解決した。請求項８の発明を、前述の構成において、前記ケーシングの内部後方側には前記フック部材が水平面上を揺動且つ傾斜可能となると共に、傾斜されたフック部材を復帰させる復帰弾性部材が具備されてなる戸閉具としたことにより、上記課題を解決した。
【発明の効果】
【０００９】
請求項１の発明は、通常の引戸の戸閉動作では、戸閉完了の直前付近にて、引戸が減速されつつ移動して、緩やかな引戸の戸閉にすることができる。そして、引戸にあやまって勢いを付けすぎて、引戸に急加速が付いてしまったときには、ケーシング内部のレバー部材が転動体によって上方に移動し、前記フックはケーシング内の移動行程の略中央の位置で前記レバー部材に当接して、前記フックの移動が強制停止されることになる。これによって、ケーシングが装着された引戸は、戸閉方向の終端付近にて強制的に急停止され、引戸は引戸枠に衝突することがなく、引戸と枠との間に人の手や足の指を挟んでけがをすることを防止できるし、引戸自体にも、引戸枠との衝突がなく、衝撃による損傷を防止することができるものである。
【００１０】
したがって、引戸の開閉時のスライドが極めて滑らかで、勢いが付きやすい高価な引戸には特に好適なものといえる。また、普通の戸閉め動作では、引戸を勢いを付けないで静かに戸閉め方向に移動させる場合には、転動体は、回転動作することがなく、よってレバー部材は上方に移動することがないので、前記フックはケーシング内の移動行程で前記レバー部材に当接することなく、緩衝機構のみが作用して、着通常の減速による静粛な戸閉め動作にすることができる。請求項２の発明は、請求項１と略同等の効果を有する。
【００１１】
請求項３の発明では、前記ガイド部は、前記レバー部材の揺動自由端側に向かうに従い上方に傾斜しているので、転動体が元の位置に復帰しやすく、ケーシングが停止した後、即座に移動を再開することができる。請求項４の発明は、前記フックは、フック部と、該フック部が揺動自在に装着される摺動部とからなり、該摺動部がケーシング内にて前記レバー部材の当接部に当接可能としたことにより、レバー部材の上下動が確実で、円滑な動作を得ることができ、動作機構が極めて安定したものにできる。
【００１２】
請求項５の発明は、前記レバー部材には、前記フックと当接する箇所に弾性受け部が具備されたことにより、該弾性受け部によって、衝突の衝撃を緩和して、相互の機器における損傷を防止することができる。請求項６の発明は、前記傾斜ガイド部は傾斜角度を可変可能としたことで、傾斜角度を微調整することにより、転動体の初動作の回転が生じる衝撃の度合いを適宜に調整することができる。そしてこれによって、引戸の重量に応じた転動体の初動作を調整することができるものである。請求項７は、転動体を球体としたので、転動体が反応をし易くすることができ、特に開閉スライドの滑らかな引戸装置には好適である。
【００１３】
請求項８の発明によって、戸閉動作において、扉レールと扉の厚さ寸法との間の隙間が大きすぎて扉に厚さ方向におけるガタが生じて、フック部と固定ガイドとの係止が浅くなり、これに戸閉時の衝撃が強すぎた時などに、フック部と固定ガイドとの係止が外れてしまった場合に、そのフック部材を極めて簡単にケーシング前方に移動させ係止の状態に復帰させることができる。これは、前記引戸と共にケーシングを固定ガイド側に移動させて、該固定ガイドをフック部に押し付けるのみで、前記フック部は前記切除部箇所にて揺動可能となり、且つ前記フック部は復帰弾性部材によって押圧された状態のために、前記固定ガイドとフック部とを強制的に係止させることができる。そして、引戸を開き方向に移動させることによって、ケーシングが引戸と共に移動し、固定ガイドと係止したフック部材がケーシングの前方側に移動することになり、その前方側にてフック部を仮係止状態に復帰させることができるものである。
【発明を実施するための最良の形態】
【００１４】
以下、本発明の実施形態を図面に基づいて説明する。本発明の戸閉具は、種々のタイプの引戸２００に装着することができるものであって、主にケーシング９，戸閉機構部及び急停止機構部とから構成されている。まず戸閉機構部は、フック１ ，弾性部材２、無端可撓部材３、主案内輪４１，従案内部４２及び緩衝部材５等から構成される。また、前記引戸２００を案内するガイドレール３００側には、固定ガイド４００が装着される（図１５乃至図２２参照）。
【００１５】
前記フック１は、図１（Ｂ），図２乃至図５等に示すように、摺動部材１１とフック部材１２とから構成され、前記摺動部材１１に対して前記フック部材１２が枢支連結され、前記フック部材１２が水平面状を揺動することができるようになっている。前記摺動部材１１には、図１（Ｂ），図３（Ａ）に示すように、弾性部材２が連結され、該弾性部材２によって、前記ケーシング９の内部において、前方側から後方側に向かって、前記摺動部材１１が移動するように弾性的に付勢されている。前記ケーシング９内には、図１（Ｂ），（Ｃ）に示すように、その前後方向両側箇所に亘って、無端可撓部材３が配置されている。
【００１６】
さらに、該無端可撓部材３の回転方向に対して抵抗力Ｔを発生する緩衝部材５が設けられている〔図１（Ａ），（Ｂ）参照〕。前記摺動部材１１は前記無端可撓部材３の一部に連結され、前記摺動部材１１の移動と共に、前記無端可撓部材３も回転する。前記フック部材１２は、図１（Ｅ），図６（Ａ），（Ｃ）等に示すように、前記ケーシング９の前方側に位置するときのみ傾斜状態で係止状態が維持され、該係止状態が解除されると前記フック１(フック部材１２及び摺動部材１１)は、前記ケーシング９の後方側〔図１（Ａ）乃至（Ｅ）の右側〕に前記弾性部材２によって弾性的に引っ張られて移動するものである。
【００１７】
前記摺動部材１１は、図４（Ａ）乃至（Ｄ）及び図５に示すように、主に摺動本体部１１１，フック支持部１１２，弾性部材連結部１１４及び被当接部１１５から構成されている。前記摺動本体部１１１は、略長方形の板形状に形成され、その上面部にフック支持部１１２が形成されている。該フック支持部１１２は貫通孔として形成されたもので、後述するフック部材１２を水平面上に揺動自在となるように枢支連結する役目をなす部位である。また、前記摺動本体部１１１の幅方向の一端側には、摺動側弾性部材連結部１１４が形成されている。該摺動側弾性部材連結部１１４は、図３に示すように、弾性部材２を連結する役目をなす部位である。
【００１８】
さらに、前記摺動本体部１１１の下面側には、被当接部１１５が形成されている。該被当接部１１５は、前記摺動本体部１１１の下面側から略台形状の突起として形成されたものであって、その被当接部１１５の被当接面１１５ａは、前記摺動本体部１１１に対して略直角状の面である。該被当接部１１５は、図１３（Ｃ）に示すように、後述するレバー本体部６１と当接する部位であって、該レバー本体部６１と共にフック１の移動を一時的に急停止させる役目をなすものである。
【００１９】
さらに、前記摺動本体部１１１の幅方向の一端側で且つ前記摺動側弾性部材連結部１１４の下方の位置には、図４（Ｃ）に示すように、案内部１１６が形成されている。該案内部１１６は、溝形状であり、後述するケーシング９内に形成された案内凸条９５に係合され、ケーシング９内において前後方向に適正且つ安定した状態で直線状に往復移動することができるようになっている。前記摺動部材１１には、後述する無端可撓部材３の一部と連結固着する無端可撓部材連結部１１７が形成されている〔図２，図３（Ｂ）参照〕。該無端可撓部材連結部１１７は、前記無端可撓部材３をビス等の螺子部材によって連結固着するものである。
【００２０】
次に、フック部材１２は、図１，図４（Ｅ）乃至（Ｇ）及び図５等に示すように、主に揺動本体部１２１，揺動支持部１２２，係合部１２３,ガイド突起部１２４とから構成される。前記揺動本体部１２１は適宜の厚さを有する板状材であり、該揺動本体部１２１に前記揺動支持部１２２，係合部１２３,ガイド突起部１２４が形成されることになる。前記揺動支持部１２２は、前記揺動本体部１２１の下面側に軸形状に形成されたものであり、前記摺動部材１１の貫通孔として形成されたフック支持部１１２に挿入される〔図５（Ａ）参照〕。これによって、前記摺動部材１１と前記フック部材１２とが連結され、該フック部材１２は前記摺動部材１１に対して水平面上を揺動自在な構成となる〔図４（Ｈ），図５（Ｂ）参照〕。
【００２１】
前記係合部１２３は、被係合片１２３ａと被当接片１２３ｂ及び凹部１２３ｃから構成され、前記被係合片１２３ａは被当接片１２３ｂよりも延出方向において短く形成され、且つ前記被係合片１２３ａは、前記ケーシング９にフック１が装着された状態で、ケーシング９の前方側寄りに形成されている〔図１（Ｅ），図６参照〕。すなわち、前記被係合片１２３ａは、被当接片１２３ｂよりもその高さ方向の寸法が低く形成されている。また、前記被係合片１２３ａと被当接片１２３ｂとは、略平行状態となるように突出形成されている。
【００２２】
また、被係合片１２３ａと被当接片１２３ｂとの間には、略Ｕ字形状の凹部１２３ｃが形成されている。該凹部１２３ｃには、後述する固定ガイド４００が出入自在に挿入するものである(図１４，図１７乃至図２１参照)。さらに、前記係合部１２３には、斜面部１２３ｄが形成されている。該斜面部１２３ｄは、前記被係合片１２３ａよりも前方側（ケーシング９の前方側寄り）に位置して形成されている。そして、前記斜面部１２３ｄは、前記被係合片１２３ａの位置に向かうに従い外方に広がるような斜面である。該斜面部１２３ｄは、後述するように、固定ガイド４００がフック部材１２に当接するときに、固定ガイド４００とフック部材１２との接触摩擦を小さくし、抵抗を少なくするものである。しかし、固定ガイド４００がフック部材１２の被当接片１２３ｂに最初に当接する場合には、前記斜面部１２３ｄは形成されなくてもかまわない。
【００２３】
フック部材１２は、後述するように固定ガイド４００と係合するものであるが、その係合するときに、前記斜面部１２３ｄに固定ガイド４００が当接する部位となる。該固定ガイド４００が最初に斜面部１２３ｄに当接することで、固定ガイド４００によってフック部材１２は揺動し易くなる。前記ガイド突起部１２４は、図１（Ａ），（Ｂ），図６等に示すように、後述するケーシング９内に形成されたフック案内溝９８に挿入されて、前記フック部材１２をケーシング９の長手方向に沿って安定した状態で往復移動させると共に、前記フック部材１２の揺動動作を正確に行わせるように案内する役目をなす。
【００２４】
次に、ケーシング９は、２つに分割された２部材から構成されたものであって、第１ケーシング部９Ａ及び第２ケーシング部９Ｂとから構成される〔図１（Ｃ），（Ｅ），図２（Ｂ）及び図６（Ａ）参照〕。前記第１ケーシング部９Ａと第２ケーシング部９Ｂとを組み合わせて、筐体が構成される。そのケーシング９の筐体内部に前記フック１（摺動部材１１，フック部材１２），弾性部材２，無端可撓部材３，主案内輪４１，従案内部４２及び緩衝部材５が装着されるものである。前記第１ケーシング部９Ａは、皿形筐体状に形成され、筐体部９１の頂部９１１には、導入部９２が形成されている。該導入部９２の構成は、図１（Ａ），（Ｄ）及び図１２に示すように、前記ケーシング９の前方正面側で且つその上部箇所に位置して導入口部９２２が形成され、さらに前記ケーシング９の上面の前方側からその後方側に亘って略長孔状に導入溝部９２１が形成される。前記導入口部９２２と導入溝部９２１は、連通している。
【００２５】
その導入部９２の導入口部９２２から固定ガイド４００の係止ピンが案内導入され、前記フック部材１２に係止すると共に、該フック部材１２によって、前記固定ガイド４００は、前記導入溝部９２１に沿ってケーシング９の後方側に相対的に移動することができる (図１５乃至図２２参照)。また前記筐体部９１の幅方向両側には、フランジ部９３，９３が形成され、引戸２００への取付の役目をなす。ここで、前記ケーシング９の長手方向の前方とは、前記導入口部９２２が形成されている側であり、長手方向の後方側とは、該導入口部９２２が形成されている側とは反対側のことである。さらに、換言すると前記ケーシング９の長手方向の前方側とは、ケーシング９に対して、固定ガイド４００が導入されて入り込む側のことであり、又は引戸２００の戸閉終端側に面する部位である。
【００２６】
前記第２ケーシング部９Ｂは、板状本体部９６にフック支持板部９７が形成されている。該フック支持板部９７にはフック案内溝９８が形成されている。そして、前記第１ケーシング部９Ａと第２ケーシング部９Ｂとを接合してケーシング９を構成することにより、前記第２ケーシング部９Ｂのフック支持板部９７が前記第１ケーシング部９Ａに入り込んで、該第１ケーシング部９Ａの上方位置に配置され、ケーシング９の内部上方位置と頂部９１１との間に、前記フック部材１２が収納されるフック収容室９ｃが形成される〔図１（Ａ），（Ｂ）及び（Ｅ）及び図６参照〕。前記フック収容室９ｃには、前記フック１のフック部材１２が収容される。前記フック案内溝９８は、前記ケーシング９（第２ケーシング部９Ｂ）の前方から後方に亘って形成されたものであり、後述するフック部材１２の係合部１２３がフック収容室９ｃ（すなわち、ケーシング９内上方で且つ前記導入部９２の略直下の位置）にて水平面上を揺動且つケーシング９の前後方向に往復移動することができる構成である。
【００２７】
前記フック案内溝９８は、前述したように、前記フック部材１２のガイド突起部１２４が挿入し、前記フック部材１２が安定した状態でケーシング９の前後方向の往復移動及び揺動動作を案内する部位である。そのフック案内溝９８は、図１（Ｅ），図６（Ａ），（Ｃ），（Ｄ）等に示すように、直線スリット状に形成された直線摺動案内部９８１と、且つ前記フック部材１２を揺動させる揺動案内部９８２とから構成されている。前記直線摺動案内部９８１は、前記フック部材１２が前記フック収容室９ｃの前後方向を移動するときにフック部材１２の移動を安定且つ適正な直線移動動作となるように支持する役目をなしている。また、前記揺動案内部９８２は、前記フック部材１２が水平面上を揺動するときに安定した状態で揺動することができるように構成されている〔図６（Ｃ），（Ｄ）参照〕。
【００２８】
そして、前記フック部材１２は、ガイド突起部１２４が前記揺動案内部９８２によって案内されることにより、そのフック部材１２に装着された弾性部材２の弾性力に抗して前記ケーシング９の前方位置にて係止状態となる。この係止状態は、前記ケーシング９のフック案内溝９８の前方側で、前記フック部材１２が水平面上で傾斜した状態で留まるものである〔図６（Ｃ），図１５及び図１６参照〕。その係止状態では、前記フック部材１２は、多少の振動等では動作しないように設定されている。
【００２９】
前記係合部１２３に固定ガイド４００が係合して、係合部１２３がケーシング９の後方に移動する行程については、前記フック部材１２の被当接片１２３ｂに固定ガイド４００が当接して、フック部材１２は揺動し、水平面上にて傾斜状態から起立状態〔図６（Ｃ），（Ｄ）参照〕となる。このとき、前記ガイド突起部１２４が前記揺動案内部９８２から直線摺動案内部９８１に移動する。このようにしてフック１は、係止状態が解除され、前記摺動部材１１に連結された弾性部材２の弾性力にて、フック部材１２は、ケーシング９の前方側から後方側に移動する。
【００３０】
前記第２ケーシング部９Ｂには、弾性部材ガイド部９６１が形成されている〔図１（Ｂ），図６（Ｂ）参照〕。また、該弾性部材ガイド部９６１は、前記板状本体部９６に対して略直角に形成された壁板状で且つ略Ｃ字形状の路面が形成されるようにしたものである。該弾性部材ガイド部９６１には、前記弾性部材２のコイルスプリング状の弾性部２１が略横倒し状としたＵ字形状に折り曲げられて収納される〔図１（Ｂ），図６（Ｂ）参照〕。そして、前記第２ケーシング部９Ｂの下方位置で、且つ前記弾性部材ガイド部９６１の終端箇所には、弾性部材連結部９６２が形成されている。特に、前記弾性部材ガイド部９６１において前記弾性部材２がカーブする部分は、円弧状或いはＣ字形状に形成されることにより、その弾性部２１が前記カーブ箇所においても均一に伸縮可能となるように収納される。
【００３１】
次に、前記ケーシング９の内面側において、その前後方向両側箇所には主案内輪４１と従案内部４２とが配置され、前記主案内輪４１と従案内部４２に無端可撓部材３が巻掛けられている〔図１（Ｂ），図６（Ｂ）参照〕。該無端可撓部材３は、前述したように、前記摺動部材１１の無端可撓部材連結部１１７にビス等の螺子部材によって連結固着される。そして、前記無端可撓部材３と摺動部材１１は、前記ケーシング９の幅方向において並列配置されると共に、前記無端可撓部材３は摺動部材１１の移動方向と略平行となるように掛け渡されている。また、前記無端可撓部材３は、前記弾性部材２とも並列するように配置される〔図１（Ｂ），図６（Ｂ）等参照〕。さらに、その主案内輪４１は、緩衝部材５の軸部５１に装着されている。前記主案内輪４１と従案内部４２は、具体的にはスプロケットが使用され、無端可撓部材３は、前記スプロケットとした主案内輪４１及び従案内部４２に噛み合うチェーンが使用されている。
【００３２】
そして、前記無端可撓部材３は、前記緩衝部材５の軸部５１に装着された前記主案内輪４１によって、前記弾性部材２に対する抵抗力Ｔを発生する〔図１（Ｂ）参照〕。前記従案内部４２の別の実施形態としては、前記スプロケットとした無端可撓部材３が滑動可能な円弧状の案内面としてもかまわない。また、特に図示しないが、前記無端可撓部材３は、歯付きベルトが使用され、前記主案内輪４１及び従案内部４２は、歯付きベルトに対応する歯車状のベルト車が使用される実施形態も存在する。
【００３３】
前記緩衝部材５は、軸部５１ が緩衝容器５２に装着され、該緩衝容器５２にフランジ５３，５３が形成された構造のものである。そのフランジ５３，５３を介して緩衝容器５２がケーシング９（第１ケーシング部９Ａ）に装着される。その緩衝容器５２は、たとえば、内部にグリース等の高粘度の材質があり、軸部５１に掻き混ぜ専用の板片が装着され、軸部５１ によって伝達された外力に対する抵抗力Ｔを生じるというものである。本発明においては、前記軸部５１に連結された主案内輪４１を介して抵抗力Ｔを生じる機構となっている。しかし、この抵抗発生構造は、上記構造に限定されるものではなく、同様に抵抗力Ｔを発生するものであれば、どのような構造のものでも適用される。その緩衝部材５の抵抗力Ｔは、前記弾性部材２の弾性力Ｆを減少させる役目をなすものである。前記弾性部材２の弾性力Ｆは、緩衝部材５が発生する抵抗力Ｔよりも大きいことが条件であるが、その弾性力Ｆと抵抗力Ｔとの差は適宜に設定される。
【００３４】
前記緩衝部材５によって、前記主案内輪４１を介して前記無端可撓部材３は、摺動部材１１をケーシング９の後方側に移動させる弾性力Ｆに対する抵抗力Ｔを生じて、弾性力Ｆから抵抗力Ｔを差し引いた戸閉力Ｐにより、摺動部材１１及びフック部材１２をケーシング９の後方側に移動させるものである（図３，図６参照）。すなわち、引戸２００を支持する引戸案内具は、Ｆ−Ｔ＝Ｐによる力にて移動するものであり、また引戸２００の初速Ｖｎを、固定ガイド４００がフック部材１２と係止した状態から戸閉が完了するまでの戸閉力Ｐによる低速な速度Ｖｍとすることができるものである（図２４参照）。
【００３５】
前記摺動部材１１は、前述したように、前記弾性部材２と、前記無端可撓部材３の一部とそれぞれ連結している。そして、前記フック１（摺動部材１１とフック部材１２）は、弾性部材２からの弾性力Ｆと、前記無端可撓部材３に間接的に連結される緩衝部材５からの抵抗力Ｔとの相反する力を受ける〔図３（Ａ）参照〕。
【００３６】
次に、前記弾性部材２は、弾性部２１の長手方向の両側に連結部２２，２２が形成される。前記弾性部２１は、コイルスプリングであり連結部２２，２２は、先端に大径頭部が形成されたピン部材である。そして、前記弾性部材２の長手方向の一方の連結部２２が第２ケーシング部９Ｂ側の弾性部材連結部９６２に連結され、またその他端の連結部２２が摺動部材１１の摺動側弾性部材連結部１１４に連結される〔図１（Ｂ），図６（Ｂ）参照〕。この弾性部材２は、前述したように、ケーシング９内において、前記フック１（摺動部材１１とフック部材１２）を常時，ケーシング９の後方側（前記導入部９２側とは反対側）に向かうように弾性的に付勢している。
【００３７】
次に、急停止機構部について説明する。該急停止機構部は、図１（Ａ），図７及び図１３等に示すように、主にレバー部材６、ガイド部７及び転動体８とから構成される。そして、これらの急停止機構部の部材は、仕切りプレート９Ｃによって、前記ケーシング９内に装着された戸閉機構部の配置スペースと仕切られる構成となっている〔図１（Ａ），図２，図１３参照〕。前記レバー部材６は、図１（Ａ），図７乃至図９等に示すように、レバー本体部６１の長手方向一端側に揺動中心部６２が形成されている。前記レバー本体部６１は、略アーム形状に形成されたものである。前記レバー本体部６１には、当接部６３が形成されている。該当接部６３は、レバー本体部６１の長手方向に対して略直角状に立上り形成された壁面状部であり、前記摺動部材１１の被当接部１１５が当接する部位である〔図１３（Ｃ），図１８参照〕。
【００３８】
前記当接部６３には、図８，図９に示すように、弾性体６４が装着されることもある。該弾性体６４は、レバー部材６の当接部６３と、フック１の被当接部１１５とが略激突状に当接したときの衝撃を緩衝して和らげる役目をなすものである。このような弾性体６４としては、ゴム材或いは弾性のある合成樹脂が適当である。前記レバー部材６は、前記揺動中心部６２を中心として、図１３に示すように、レバー本体部６１が揺動動作を行い、該レバー本体部６１の揺動自由端側６１２が上下方向（垂直面上）を揺動する。前記揺動中心部６２は、貫通孔６２１が形成され、前記第２ケーシング部９Ｂに形成された揺動支持軸部９９が挿通されて、レバー部材６が揺動する構造となっている。また前記揺動支持軸部９９は、前記仕切りプレート９Ｃに形成されても構わない。
【００３９】
前記ガイド部７は、図８，図１０に示すように、前記レバー部材６の下方に位置して設置されたもので、ガイド面部７１を有している。該ガイド面部７１は、前記レバー部材６の揺動中心部６２からレバー本体部６１の揺動自由端６１１側に向かって形成されたものであって、略水平状に設置されている。ガイド面部７１は、後述する転動体８を前記レバー部材６の揺動中心部６２から揺動自由端６１１側に向かって移動するための路面としての役目をなすものである。さらに、前記レバー部材６の揺動自由端６１１側に向かうに従い上方に傾斜するように設定されることがより好ましいものである（図１０参照）。
【００４０】
また、前記ガイド面部７１の傾斜角度が適宜変更することができるように調整可能とした実施形態も存在する〔図１３（Ｄ）参照〕。この実施形態は、前記ガイド面部７１と、角度調整中心部７２とから形成されたものである。そして、前記ガイド面部７１は、略帯板形状に形成されている。後述する転動体８が転動方向を案内するものである。前記角度調整中心部７２は、前記ガイド面部７１の長手方向一端側に一体形成されたものである。前記角度調整中心部７２は、貫通孔７２１が形成され、該貫通孔７２１に前記仕切りプレート９Ｃに形成された調整軸７３が挿通されて、前記ガイド面部７１が上下方向に回動する構成である。
【００４１】
さらに、前記ケーシング９の底面部には、調整螺子部材７４が装着されている。該調整螺子部材７４は、その螺子軸部７４１が前記ガイド面部７１の自由端側下面に当接しており、前記調整螺子部材７４を回転させることによって、螺子軸部７４１が上下動し、前記ガイド面部７１の自由端側の上下高さ位置を微調整し、前記ガイド面部７１の傾斜角度を調整することができる。また、ガイド部７は、前記ケーシング９の第１ケーシング部９Ａ，第２ケーシング部９Ｂ或いは仕切りプレート９Ｃのいずれかに一体形成されることもある。この場合でも、前記ガイド面部７１は、水平状又は傾斜状に形成されるものである。転動体８は、前記ガイド部７のガイド面部７１の長手方向に沿って相対移動し、前記レバー部材６の揺動自由端６１１側を上方に移動させると共に、前記当接部６３を上方に持ち上げる役目をなすものである。転動体８は、球体に形成されている。或いは円筒状に形成されることもある。該転動体８は、後述するように、慣性の法則によって、作動するものであり、主に鋼球が使用されるが、適度の重量を有するものであれば合成樹脂でも構わない。
【００４２】
次に、固定ガイド４００は、前記戸閉具に装着されたフック１のフック部材１２と係止するものである。本発明における戸閉具は、図１５乃至図２４に示すように、引戸２００に装着され、前記固定ガイド４００は引戸２００が装着されるガイドレール３００又は該ガイドレール３００が装着される引戸用の枠体の戸閉側端部箇所付近に設けられる。その引戸装置の構成は、前記引戸２００の上方且つ幅方向の端部箇所に切除部が形成され、その切除部内に前記ケーシング９のフランジ部９３を利用してビス等の固着具にて装着される。そして、前記固定ガイド４００は、前記ガイドレール３００の端部で、且つ前記ケーシング９のフック部材１２と当接可能となる位置に設置される。
【００４３】
前記引戸２００の戸閉側とは、その引戸２００を閉めたときに、キャビネット又は部屋の間仕切りにおける引戸用の枠体に当たる側のことである。引戸２００には引戸案内具５００が装着されている。該引戸案内具５００は、ハングローラタイプで、走行本体部５００Ａとローラ部５００Ｂとから構成されている。そのガイドレール３００のレール部３００Ａに前記引戸案内具５００のローラ部５００Ｂが移動可能に載置されている。
【００４４】
次に、本発明における戸閉装置による引戸２００の戸閉動作を説明する。まず通常の初速度によって引戸２００の戸閉を行う場合で、戸閉具には戸閉機構部による減速戸閉動作のみ作用する場合について説明し、次いで、急停止機構部の急停止動作が作用する場合について説明する。引戸２００の戸閉動作について、前記フック１は、摺動部材１１とフック部材１２とが枢支連結されたものであり、その初期状態では、フック部材１２がケーシング９のフック案内溝９８の揺動案内部９８２に係止され、フック部材１２は、前記ケーシング９の前方側にて水平面上にて傾斜し、係止状態で留まっている〔図１４（Ａ），図２３（Ａ）参照〕。そして、開き状態の引戸２００が戸閉方向に移動して、前記固定ガイド４００の位置に到達し、該固定ガイド４００がケーシング９の導入部９２の導入口部９２２からケーシング９内部に入り込む〔図１４（Ｂ）参照〕。固定ガイド４００は、ケーシング９内部の前方側で係止状態で留まっているフック部材１２の位置に案内されると、前記固定ガイド４００の先端がまず最初に前記フック部材１２の被当接片１２３ｂに当接する。
【００４５】
さらに、前記引戸２００が戸閉方向に移動すると、前記固定ガイド４００が被当接片１２３ｂを押し付けるように作用し、前記フック部材１２が摺動部材１１に対して水平面上を揺動しつつ前記ガイド突起部１２４が前記揺動案内部９８２から離脱しつつ直線摺動案内部９８１に移動して、前記フック部材１２の係止状態が解除される。具体的には、前記固定ガイド４００が前記被当接片１２３ｂを押圧することによって、前記フック部材１２は反時計方向に揺動しながら、前記ガイド突起部１２４が前記揺動案内部９８２から離脱し、前記フック部材１２の係止状態を解除すると共に、前記固定ガイド４００が前記被係合片１２３ａと被当接片１２３ｂとの間の略Ｕ字形状の凹部１２３ｃ内に挿入する〔図１４（Ｃ），図２３（Ｂ）参照〕。
【００４６】
前記フック１の摺動部材１１は、前記弾性部材２の弾性力Ｆによってケーシング９の前方側から後方側に向かって弾性的に付勢されており、前記弾性部材２の弾性力Ｆによって、前記フック１（摺動部材１１及びフック部材１２）は、前記導入溝部９２１に沿って、（不動状態の）固定ガイド４００と共に、前記ケーシング９に対して後方側へ相対的移動する〔図１４（Ｄ），図２３（Ｃ）参照〕。
【００４７】
一方、前記摺動部材１１は、無端可撓部材連結部１１７を介して前記無端可撓部材３の一部と連結固着されており、前記緩衝部材５の軸部５１に固着されている主案内輪４１に巻き付けられた前記無端可撓部材３が前記摺動部材１１をケーシング９の後方側に移動させる弾性力Ｆに対して、抵抗力Ｔを生じる。そして、前記弾性力Ｆから抵抗力Ｔを差し引いた戸閉力Ｐにより、摺動部材１１及びフック部材１２をケーシング９後方側に移動させる〔図１４（Ｅ），図２３（Ｄ）参照〕。
【００４８】
このようにして、前記引戸２００は、Ｆ−Ｔ＝Ｐによる力にて移動するものであり、手動によって、前記引戸２００を戸閉方向に移動させるときの初速Ｖｎは、前記フック部材１２が固定ガイド４００に係止した状態から戸閉が完了するまでの動作を前記戸閉力Ｐによって緩やかな低速とした速度Ｖｍとし、戸閉完了直前の動作を極めて静粛なものにすることができる。
【００４９】
次に、急停止機構部の急停止動作が作用する場合について説明する。まず静止状態にある引戸２００では、戸閉具の内部において、レバー部材６の揺動自由端６１１側は下方に位置し、当接部６３も下方に位置している（図１５参照）。この状態における当接部６３の位置は、前記摺動本体部１１１の被当接部１１５よりも低い位置に存在しており、前記フック１の係止が解除されて、摺動部材１１がケーシング９の前方側から後方側に移動する行程において、摺動部材１１の被当接部１１５が前記レバー部材６の当接部６３とは当接することはない。これは、通常速度で戸閉方向に移動する引戸２００の場合でも同様である。
【００５０】
その引戸２００に大きな初速度がかけられて、該引戸２００が戸閉方向に急加速で発進する場合には、引戸２００と同等の加速度がケーシング９に発生する。そして、ガイド部７上に配置されている転動体８は、慣性の第１法則に基づいて静止しようとし、ケーシング９の移動方向とは反対方向に相対的に移動することになる。その結果、転動体８はレバー部材６の揺動自由端６１１側に位置することになる。図１６は、引戸２００の急加速移動開始直後の状態である。前記転動体８は、レバー部材６の揺動自由端６１１の下面側に入り込む状態となり、レバー部材６は揺動自由端６１１側が上方に持ち上げられる。このとき、同時に当接部６３も上方に持ち上げられることになる。この状態で前記当接部６３は、前記摺動部材１１の被当接部１１５と当接可能な高さ位置となる（図１７参照）。
【００５１】
前述したように、引戸２００の戸閉方向の移動によって、前記固定ガイド４００がフック１のフック部材１２に係合され、固定ガイド４００と共にフック１がケーシング９の前方側から後方側に相対移動することになる。そして、フック１が前記ケーシング９の前方側から後方側に移動する行程の略中央の位置にて、摺動部材１１の被当接部１１５がレバー部材６の当接部６３と当接する。図１８は、引戸２００の移動急停止時瞬間の状態を示す。この当接は、略衝突又は略激突状態である。前記当接部６３に弾性体６４が装着されている場合には、その激突の衝撃が緩和されることになる。
【００５２】
前記フック１の摺動部材１１の被当接部１１５と、レバー部材６の当接部６３とが当接すると、前記フック１は固定ガイド４００に係合しているので、ケーシング９と共に移動するレバー部材６が急停止し、ひいては該レバー部材６と共にケーシング９が急停止することになる。該ケーシング９が急停止することによって、該ケーシング９が装着固定された引戸２００は、戸閉側終端部の直前で急停止することになる。該引戸２００は、戸閉側終端部の直前で急停止するので、引戸２００と戸閉側終端部との間には、間隔が有り、人の手足が戸閉側終端部と引戸２００との間に入っていたとしても、手足を引戸２００と戸閉側終端部との間に挟むことなく、人体の安全を十分に確保することができる。
【００５３】
次に、引戸２００は急停止することによって、該引戸２００と共に移動しているケーシング９内の転動体８は、慣性の第２法則によって、戸閉方向への移動状態を維持しようとする。そのために、引戸２００が急停止すると、転動体８は戸閉方向（ケーシング９の前方側）に移動することになり、直前まで上方に持ち上げられていたレバー部材６の揺動自由端６１１は下方位置に下がることになる。図１９は、引戸２００の移動急停止直後の状態を示す。該揺動自由端６１１が下方に下がると、前記当接部６３も下がり、該当接部６３と、前記摺動部材１１の被当接部１１５との当接状態が解除されることになる（図２０参照）。この当接状態が解除されることによって、弾性部材２によってケーシング９の後方側に引っ張られている摺動部材１１が、移動を開始する。この移動は前記緩衝部材５によって減速移動となり、この減速移動によって静かに戸閉が完了するものである（図２１参照）。
【００５４】
図２６は、本発明にフック部材１２を強制復帰させる機構が具備された実施形態である。すなわち、図２６（Ｂ）に示すように、ガイドレール３００の幅Ｈｂと、前記引戸２００の厚さ寸法Ｈａとの間の隙間が大きすぎて、引戸２００に厚さ方向にガタが生じて、フック部材１２と固定ガイド４００との係止が浅くなり、このような状態で戸閉時に衝撃が強すぎた時に、フック部材１２と固定ガイド４００との係止が外れてしまうことがある〔図２６（Ｃ）参照〕。
【００５５】
そして、前記ケーシング９の後方側に移動してしまった前記フック部材１２を、ケーシング９の前方側に強制移動させて、フック部材１２をケーシング前方に仮係止させ、正常な初期状態に復帰させるものである〔図２７（Ａ）参照〕。或いは引戸２００が閉じるときに、単に大きな衝撃にてフック部材１２に固定ガイド４００が引掛かることができなかった場合、さらに引掛かることができたとしても、フック部材１２との引掛かりが浅くて、ケーシング９内で前記フック部材１２と固定ガイド４００との引掛かりが外れてしまうようになった場合等にも前記強制復帰機構が使用される。
【００５６】
この機構は、図２６（Ａ）に示すように、前記ケーシング９のフック支持板部９７の後方側で且つ前記フック案内溝９８に連通する切除部９７１が形成されている。さらに該切除部９７１の形成箇所には、復帰弾性部材９７２が装着されている。前記切除部９７１は、略長方形状の貫通孔として形成されたものであり、前記フック部材１２のガイド突起部１２４が前記フック案内溝９８から外れて、フック部材１２は、揺動支持部１２２を揺動中心として、前記フック支持板部９７の水平面上を揺動可能な状態にすることができる。また、前記復帰弾性部材９７２は、揺動により前記フック支持板部９７の水平面上で傾斜したフック部材１２を元の位置に戻すように作動するバネ材である。該復帰弾性部材９７２は、略Ｌ字形状に形成されたものであり、合成樹脂製又は金属製である。
【００５７】
まず、前記フック部材１２が何らかの原因にて、固定ガイド４００と引掛かることができず（或いは係止することができず）に、係合部１２３のみフック案内溝９８に沿ってケーシング９の後方側に移動してしまった場合において、前記フック部材１２は、前記切除部９７１の付近に位置することになる〔図２７（Ａ）参照〕。そして、前記ケーシング９内で前記固定ガイド４００をフック部材１２に強制的に押し当てることにより、該フック部材１２は、切除部９７１箇所で水平面上を揺動することができ、フック部材１２と固定ガイド４００とが引掛かる（係止する）〔図２７（Ｂ），（Ｃ）参照〕。
【００５８】
そして前記復帰弾性部材９７２によって、前記フック部材１２は、揺動傾斜した状態からすぐに元の位置に戻り、そのまま、引戸２００を開き方向に移動させれば、前記固定ガイド４００と共に、フック部材１２がケーシング９の前方に移動し、前記フック部材１２は仮係止状態となり、通常の状態に復帰されることになる〔図２７（Ｄ）参照〕。図２８（Ａ）乃至（Ｃ）は、固定ガイド４００の位置を基準にして強制復帰行程を時系列的に示した図である。
【図面の簡単な説明】
【００５９】
【図１】（Ａ）は本発明における急停止機構装着箇所を示すケーシングの縦断側面図、（Ｂ）はクローザ機構部装着箇所のケーシングの縦断側面図、（Ｃ）は横断平面図、（Ｄ）はケーシングの上部平面図（Ｅ）は摺動室箇所の横断平面図である。
【図２】ケーシングの縦断正面図である。
【図３】（Ａ）は本発明におけるフック装着箇所の拡大縦断側面図、（Ｂ）はフック装着箇所の拡大縦断正面図である。
【図４】（Ａ）は摺動部の平面図、（Ｂ）は摺動部の側面図、（Ｃ）は摺動部の一部断面にした正面図、（Ｄ）は摺動部の別の実施形態の側面図、（Ｅ）はフック部材の係合部箇所より見た側面図、（Ｆ）はフック部材の平面図、（Ｇ）はフック部材の正面図、（Ｈ）はフック部材と摺動部とを組み合わせた平面図である。
【図５】（Ａ）はフック部材と摺動部とを分離した斜視図、（Ｂ）はフックと摺動部とを組み付けた斜視図である。
【図６】（Ａ）はケーシングの要部断面図、（Ｂ）はケーシングのフックにかかる力を示す構成図、（Ｃ）はフック部材の係止状態の拡大平面図、（Ｄ）はフックの係止が解除された状態の拡大平面図である。
【図７】急停止機構を示す側面図である。
【図８】急停止機構の分解斜視図である。
【図９】（Ａ）はレバー部材の縦断側面図、（Ｂ）は（Ａ）のＸａ−Ｘａ矢視断面図、（Ｃ）はレバー部材の平面図である。
【図１０】ガイド部の側面図である。
【図１１】緩衝部材の斜視図である。
【図１２】ケーシングの外形を示す斜視図である。
【図１３】（Ａ）乃至（Ｃ）は急停止機構の動作を示す作用図、（Ｄ）は急停止機構におけるガイド部の角度調整機構を示す構造図である。
【図１４】（Ａ）乃至（Ｅ）は本発明の緩衝機構の減速行程を示す行程図である。
【図１５】引戸の戸閉め行程において急加速で閉じる直前の静止状態を示す行程図である。
【図１６】引戸に急加速がかかりレバー部材が上方に移動した状態を示す行程図である。
【図１７】フックの係止状態が解除され且つ転動体の回転によってレバー部材が上昇した状態を示す行程図である。
【図１８】フックとレバー部材とが当接して引戸が急停止した状態の行程図である。
【図１９】レバー部材が下がってフック部材とレバー部材と離れた状態を示す行程図である。
【図２０】引戸が減速状態で移動が再開された状態を示す行程図である。
【図２１】引戸の戸閉が完了した行程図である。
【図２２】引戸の開き動作の行程図である。
【図２３】（Ａ）乃至（Ｄ）は引戸に急加速がかからないで通常の状態で戸閉が行われる行程図である。
【図２４】（Ａ）はケーシングを引戸の外側に装着した実施形態の要部略示図、（Ｂ）はケーシングを引戸の内部に装着した実施形態の要部略示図である。
【図２５】本発明の据付状態の略示図である。
【図２６】（Ａ）は本発明における強制復帰機構を示す要部拡大図、（Ｂ）は強制復帰機構が具備されたケーシングの横断平面図、（Ｃ）はレールと引戸の厚さ方向におけるガタツキを示す拡大略示図である。
【図２７】（Ａ）はケーシング内でフック部材と固定ガイドとが外れた状態を示す行程図、（Ｂ）は強制復帰機構によって、フック部材と固定ガイドとを係合させようとする行程図、（Ｃ）は強制復帰機構によって、フック部材と固定ガイドとを係合させた状態の行程図、（Ｄ）は強制復帰機構によってフック部材を係止状態に戻した行程図である。
【図２８】（Ａ）乃至（Ｃ）は固定ガイドを同一ラインに配置して強制復帰行程を示した行程図である。
【符号の説明】
【００６０】
１…フック、１１…摺動部材、１２…フック部材、２…弾性部材、５…緩衝部材、
６…レバー部材、６４…弾性体、７…ガイド部、８…転動体、９…ケーシング。
【図１】
2008303652.tif 000003
【図２】
2008303652.tif 000004
【図３】
2008303652.tif 000005
【図４】
2008303652.tif 000006
【図５】
2008303652.tif 000007
【図６】
2008303652.tif 000008
【図７】
2008303652.tif 000009
【図８】
2008303652.tif 000010
【図９】
2008303652.tif 000011
【図１０】
2008303652.tif 000012
【図１１】
2008303652.tif 000013
【図１２】
2008303652.tif 000014
【図１３】
2008303652.tif 000015
【図１４】
2008303652.tif 000016
【図１５】
2008303652.tif 000017
【図１６】
2008303652.tif 000018
【図１７】
2008303652.tif 000019
【図１８】
2008303652.tif 000020
【図１９】
2008303652.tif 000021
【図２０】
2008303652.tif 000022
【図２１】
2008303652.tif 000023
【図２２】
2008303652.tif 000024
【図２３】
2008303652.tif 000025
【図２４】
2008303652.tif 000026
【図２５】
2008303652.tif 000027
【図２６】
2008303652.tif 000028
【図２７】
2008303652.tif 000029
【図２８】
2008303652.tif 000030